(57)【要約】      （修正有）【課題】大きめの猫が立ち上がった状態でも爪を研ぐことができる猫用爪研ぎを提供する。【解決手段】猫用爪研ぎにおいて、猫が爪を研ぐための爪研ぎ部材（Ａ）１１が表面に露出するように設置された壁部材（Ｘ）１０と、壁部材（Ｘ）の底部に接続された底面部材（Ｙ）２０とを有し、壁部材（Ｘ）の高さが７５ｃｍ以上であり、壁部材（Ｘ）の少なくとも高さ１０〜７５ｃｍの位置の表面に、爪研ぎ部材（Ａ）が露出している。壁部材（Ｘ）は、例えば、爪研ぎ部材（Ａ）の一部である爪研ぎ部材（ａ）が表面に露出するように設置された壁部材（ｘ）の複数を高さ方向に連結することで形成される。【選択図】図１
0003187315.tif 000002
【実用新案登録請求の範囲】
【請求項１】
猫が爪を研ぐための爪研ぎ部材（Ａ）が表面に露出するように設置された壁部材（Ｘ）と、前記壁部材（Ｘ）の底部に接続された底面部材（Ｙ）とを有し、前記壁部材（Ｘ）の高さが７５ｃｍ以上であり、前記壁部材（Ｘ）の少なくとも高さ１０〜７５ｃｍの位置の表面に、前記爪研ぎ部材（Ａ）が露出している猫用爪研ぎ。
【請求項２】
前記壁部材（Ｘ）は、前記爪研ぎ部材（Ａ）の一部である爪研ぎ部材（ａ）が表面に露出するように設置された壁部材（ｘ）の複数を高さ方向に連結することで形成される請求項１に記載の猫用爪研ぎ。
【請求項３】
前記壁部材（ｘ）の高さは、６０ｃｍ以下である請求項２に記載の猫用爪研ぎ。
【請求項４】
前記壁部材（Ｘ）は、前記壁部材（ｘ）間の連結を補強するためのストッパー部材（ｓ）を有する請求項２又は３に記載の猫用爪研ぎ。
【請求項５】
前記底面部材（Ｙ）には、猫が爪を研ぐための爪研ぎ部材（Ｂ）が表面に露出するように設置されている請求項１〜４のいずれか１項に記載の猫用爪研ぎ。
【請求項６】
前記壁部材（Ｘ）と前記底面部材（Ｙ）の側面に接続された、前記壁部材（Ｘ）と前記底面部材（Ｙ）との接続を補強する側面部材（Ｚ）を有する請求項１〜５のいずれか１項に記載の猫用爪研ぎ。
【考案の詳細な説明】
【技術分野】
【０００１】
本考案は、猫が爪を研ぐための猫用爪研ぎに関する。
【背景技術】
【０００２】
猫には、カーペット、段ボール、木などに爪をたてて爪研ぎをする習性がある。その理由としては、古い爪をはがして鋭くするため、ニオイをつけて自分の場所であることを示すため、ストレス解消のためなどと言われている。そのため、放っておくと家のカーペット、柱、壁、家具など様々な場所で猫が爪研ぎをしてしまい、家中が傷だらけになってしまう。そこで、専用の猫用爪研ぎを猫に与えることが有効である。
【０００３】
特許文献１及び２には、平面状の猫用爪研ぎが記載されている。これらの猫用爪研ぎは、猫が遊びながらにして爪が研げるように工夫されている。また、非特許文献１には、「Ｇａｒｉ  Ｇａｒｉ  Ｌｏｕｎｇｅ（ガリガリラウンジ）」や「Ｇａｒｉ  Ｇａｒｉ  Ｃｉｒｃｌｅ（ガリガリサークル）」なる猫用爪研ぎが記載されている。これらの猫用爪研ぎは、猫がリラックスしてくつろぎながら爪が研げるように工夫されている。
【０００４】
ただし、猫には上に登ろうとする習性もあり、上記のような平面状の猫用爪研ぎを猫に与えても、壁や柱など登ろうとしながら爪研ぎをすることを防止することはできない。そこで、特許文献３及び４には、壁型の猫用爪研ぎが記載されている。また、非特許文献１には、「Ｇａｒｉ  Ｇａｒｉ  Ｗａｌｌ（ガリガリウォール）」なる壁型の猫用爪研ぎが記載されている。これらの猫用爪研ぎは、猫が壁部分を登ろうとする際に爪が研げるように工夫されている。
【先行技術文献】
【特許文献】
【０００５】
【特許文献１】実開平４−７１４５０号公報
【特許文献２】特開平８−１１８号公報
【特許文献３】実開昭６３−１９３４５４号公報
【特許文献４】特開２００４−３２１０４４号公報
【非特許文献】
【０００６】
【非特許文献１】http://www.aimcreate.co.jp/shouhin/products_mju.html
【考案の概要】
【考案が解決しようとする課題】
【０００７】
しかし、これまでの壁型の猫用爪研ぎ製品は高さがそれほど高くなく、大きめの猫が立ち上がった状態では爪が研げなかった。そのため、特に大きめの猫を飼っている家では、壁や柱などで爪研ぎをすることを完全に防止することはできなかった。
【０００８】
そこで、本考案は、大きめの猫が立ち上がった状態でも爪を研ぐことができる猫用爪研ぎを提供することを目的とする。
【課題を解決するための手段】
【０００９】
本考案は、猫が爪を研ぐための爪研ぎ部材（Ａ）が表面に露出するように設置された壁部材（Ｘ）と、前記壁部材（Ｘ）の底部に接続された底面部材（Ｙ）とを有し、前記壁部材（Ｘ）の高さが７５ｃｍ以上であり、前記壁部材（Ｘ）の少なくとも高さ１０〜７５ｃｍの位置の表面に、前記爪研ぎ部材（Ａ）が露出している猫用爪研ぎである。
【考案の効果】
【００１０】
本考案によれば、大きめの猫が立ち上がった状態でも爪を研ぐことができる猫用爪研ぎを提供できる。
【図面の簡単な説明】
【００１１】
【図１】本考案の一実施形態に係る猫用爪研ぎの構成を示す模式的斜視図である。
【図２】本考案の一実施形態に係る猫用爪研ぎの組み立て前の構成を示す模式的斜視図である。
【図３】本考案の一実施形態に係る猫用爪研ぎの組み立て後の構成を示す模式的斜視図である。
【図４】本考案の一実施形態に係る猫用爪研ぎの使用状態を示す写真である。
【考案を実施するための形態】
【００１２】
本考案の一実施形態に係る猫用爪研ぎの構成を図１に示す。図１の猫用爪研ぎ１は、猫が爪を研ぐための爪研ぎ部材（Ａ）１１が表面に露出するように設置された壁部材（Ｘ）１０と、壁部材（Ｘ）１０の底部に接続された底面部材（Ｙ）２０とを有する。
【００１３】
壁部材（Ｘ）１０の高さＨは、７５ｃｍ以上に設定する。こうすることで、大きめの猫が立ち上がった状態でも爪を研ぐことができる位置に、爪研ぎ部材（Ａ）１１を露出させることができる。壁部材（Ｘ）１０の高さＨは、８０〜１２０ｃｍとすることが好ましく、８５〜１００ｃｍ以上とすることがより好ましく、８８ｃｍ〜９５ｃｍとすることがさらに好ましく、例えば９０ｃｍとすることができる。
【００１４】
なお、壁部材（Ｘ）１０は、図１に示すように、直方体からなる平板状とすることができる。壁部材（Ｘ）１０の幅Ｗは、大きめの猫が登ることを考慮し、３０〜４０ｃｍとすることが好ましく、例えば３６ｃｍとすることができる。壁部材（Ｘ）１０の厚さ（奥行）は、爪研ぎ部材（Ａ）１１を設置することを考慮し、２〜１０ｃｍとすることが好ましく、例えば５ｃｍとすることができる。
【００１５】
壁部材（Ｘ）１０の表面には、爪研ぎ部材（Ａ）１１が露出するように設置される。こうすることで、猫が壁部材（Ｘ）１０を登ろうとする際に爪研ぎ部材（Ａ）１１を削って爪を研ぐことができる。例えば、壁部材（Ｘ）１０を、正面側が開口された箱体の形状とし、その開口部から爪研ぎ部材（Ａ）１１をはめ込むようにして、爪研ぎ部材（Ａ）１１を設置することができる。
【００１６】
爪研ぎ部材（Ａ）１１の位置に関しては、壁部材（Ｘ）１０の少なくとも高さ１０〜７５ｃｍの位置の表面に爪研ぎ部材（Ａ）１１が露出するように設置される。こうすることで、大きめの猫が立ち上がった状態でも爪研ぎ部材（Ａ）１１で爪を研ぐことができるようになる。爪研ぎ部材（Ａ）１１は、壁部材（Ｘ）１０の表面全面に露出するように設置されることが好ましい。
【００１７】
爪研ぎ部材（Ａ）１１の材質としては、カーペット、段ボール、木などが挙げられるが、段ボールが好ましい。段ボール製の爪研ぎ部材（Ａ）１１としては、段ボールが複数積層された段ボールブロックが挙げられる。段ボールブロックであれば、正面側が開口された箱体の形状をなしている壁部材（Ｘ）１０に、簡単にはめ込むことができる。
【００１８】
ここで、壁部材（Ｘ）１０の高さＨが７５ｃｍ以上の場合、その猫用爪研ぎをパッケージにすると、全体として非常に大きな製品になってしまう。そこで、壁部材（Ｘ）１０を複数に分割し、それを組み立てる方式にすることが好ましい。
【００１９】
壁部材（Ｘ）１０を２つに分割した本考案の一実施形態に係る猫用爪研ぎの構成を図２及び図３に示す。図２及び図３の猫用爪研ぎ１では、２つの壁部材（ｘ）１５を高さ方向に連結することで壁部材（Ｘ）１０となる。２つの壁部材（ｘ）１５には、それぞれ爪研ぎ部材（Ａ）１１の一部である爪研ぎ部材（ａ）１６が表面に露出するように設置されており、２つの壁部材（ｘ）１５を高さ方向に連結することで、２つの爪研ぎ部材（ａ）１６が連結されて爪研ぎ部材（Ａ）１１となる。こうすることで、猫用爪研ぎパッケージを小型化することができる。
【００２０】
壁部材（ｘ）１５の高さ（ｈ１又はｈ２）は、６０ｃｍ以下であることが好ましく、４０〜５０ｃｍであることがより好ましく、例えば４５ｃｍとすることができる。壁部材（ｘ）１５の高さは、壁部材（ｘ）１５ごとに異なっていてもよい（ｈ１≠ｈ２）が、同じである（ｈ１＝ｈ２）ことが好ましい。
【００２１】
壁部材（Ｘ）１０を分割する数は、２つでもよく、３つでもよく、４つ以上でもよいが、組み立ての容易さから２つが好ましい。複数の壁部材（ｘ）１５は、完全に分離した状態でもよいが、図２に示すように、壁部材（ｘ）１５の背面を共通に有し、折れ曲がる状態であることが好ましい。
【００２２】
互いに隣り合う壁部材（ｘ）１５の間は、例えば両面テープで接合することができる。また、壁部材（Ｘ）１０は、壁部材（ｘ）１５間の連結を補強するためのストッパー部材（ｓ）１７を有することが好ましい。ストッパー部材（ｓ）１７として、一方の壁部材（ｘ）の側面に、他方の壁部材（ｘ）１５の側面と接合可能な舌状片を形成することが好ましい。ストッパー部材（ｓ）１７としての舌状片と壁部材（ｘ）１５の側面との間は、例えば両面テープで接合することができる。
【００２３】
底面部材（Ｙ）２０は、壁部材（Ｘ）１０の底部に接続され、壁部材（Ｘ）１０を支えて倒れにくくする役割を有していればよいが、さらに猫が寝転がってくつろぐラウンジとしての役割や、猫が爪研ぎ部材（Ａ）１１を削って爪を研いだ際の削りカスを受ける役割を有することが好ましい。したがって、底面部材（Ｙ）２０は、壁部材（Ｘ）１０と同じ幅Ｗを持つ箱体であることが好ましい。
【００２４】
底面部材（Ｙ）２０の奥行Ｄは、大きめの猫が寝転がることを考慮し、２０〜４０ｃｍとすることが好ましく、例えば２９ｃｍとすることができる。底面部材（Ｙ）２０の厚さ（高さ）は、猫が内部でくつろげることを考慮し、５〜１５ｃｍとすることが好ましく、例えば１０ｃｍとすることができる。
【００２５】
底面部材（Ｙ）２０には、猫が爪を研ぐための爪研ぎ部材（Ｂ）２１が表面に露出するように設置されていることが好ましい。こうすることで、猫が寝転がりながらも爪研ぎ部材（Ｂ）２１を削って爪を研ぐことができる。
【００２６】
本考案に係る猫用爪研ぎ１は、さらに、壁部材（Ｘ）１０と底面部材（Ｙ）２０の側面に接続された、壁部材（Ｘ）１０と底面部材（Ｙ）２０との接続を補強する側面部材（Ｚ）３０を有することが好ましい。こうすることで、壁部材（Ｘ）１０がより倒れにくくなる。側面部材（Ｚ）３０としては、図１〜３に示すように、壁部材（Ｘ）１０と底面部材（Ｙ）２０の側面に設置された三角形状の仕切り板であることが好ましい。
【００２７】
以上のような本考案に係る猫用爪研ぎであれば、その使用状態を図４に示すように、大きめの猫が立ち上がった状態でも爪を研ぐことができる。
【符号の説明】
【００２８】
１    猫用爪研ぎ
１０  壁部材（Ｘ）
１１  爪研ぎ部材（Ａ）
１５  壁部材（ｘ）
１６  爪研ぎ部材（ａ）
１７  ストッパー部材（ｓ）
２０  底面部材（Ｙ）
２１  爪研ぎ部材（Ｂ）
３０  側面部材（Ｚ）
Ｈ    高さ
ｈ１  高さ
ｈ２  高さ
Ｗ    幅
Ｄ    奥行
【図１】
0003187315.tif 000003
【図２】
0003187315.tif 000004
【図３】
0003187315.tif 000005
【図４】
0003187315.tif 000006